(57)【要約】【課題】操作労力の軽減と操作性の向上とを図った回動昇降式ラック装置を提供すること。【解決手段】上記課題を解決するために本発明の回動昇降式ラック装置１は、壁面Ｈ等に固定される固定フレーム３と、固定フレーム３に対して平行リンク機構５を介して昇降自在に取り付けられる可動ラック７と、可動ラック７に対して取り付けられる操作バー９とを備えており、可動ラック７には操作バー９を所定の角度回動させることによって可動ラック７のロック状態を解除するロック機構１１が設けられている。またロック機構１１は平行リンク機構５に対して設けられている係合ピン１９と係合するロック爪２１と、ロック爪２１を所定の方向に付勢する付勢手段３９と、操作バー９の回転運動をロック爪２１に伝達する連絡ロッド３３とを備えている。【選択図】        図３
2005168680.tif 000002
【特許請求の範囲】
【請求項１】
壁面等に固定される固定フレームと、固定フレームに対して平行リンク機構を介して昇降自在に取り付けられる可動ラックと、可動ラックに対して取り付けられる操作バーとを備える回動昇降式ラック装置において、可動ラックには操作バーを所定の角度回動させることによって可動ラックのロック状態を解除するロック機構が設けられていることを特徴とする回動昇降式ラック装置。
【請求項２】
請求項１に記載の回動昇降式ラック装置において、ロック機構は、可動ラックに対して回動自在に接続され、平行リンク機構に対して設けられている係合ピンと係合することによって平行リンク機構の回動動作を停止させるロック爪と、ロック爪を所定の方向に付勢する付勢手段と、可動ラックに対して回動自在に接続され、操作バーの回転運動をロック爪に伝達する連絡ロッドとを備えていることを特徴とする回動昇降式ラック装置。
【請求項３】
請求項２に記載の回動昇降式ラック装置において、ロック爪は、可動ラックを手前下方に引き出すことによって自動的にロック状態となり、この状態で操作バーを所定の方向に回動させることによってロック爪のロック状態が解除されるように構成されていることを特徴とする回動昇降式ラック装置。
【請求項４】
請求項２または３に記載の回動昇降式ラック装置において、連絡ロッドにおけるロック爪との接続端には長穴が設けられており、この長穴と嵌合する連絡ピンによって連絡ロッドとロック爪は各々の回動支点を中心として回動し得るように接続されていることを特徴とする回動昇降式ラック装置。
【請求項５】
請求項２〜４のいずれかに記載の回動昇降式ラック装置において、連絡ロッドにおける操作バー側の作用端は、操作バーの端部に取り付けられる操作杆と当接することによって連絡ロッドをロック爪の通常可動範囲内で回動させると共に、直接連絡ロッドの作用端を持って連絡ロッドをロック爪の通常可動範囲を超える領域まで大きく回動させることによってロック機構を非作動状態にすることができるように構成されていることを特徴とする回動昇降式ラック装置。
【請求項６】
請求項１〜５のいずれかに記載の回動昇降式ラック装置において、平行リンク機構は、固定フレーム及び可動ラックに対してそれぞれ回動支点を有すると共に、回動支点間の距離を等しくとった２本の回動アームを設けることによって構成されており、また少なくとも一方の回動アームの固定フレームとの接続部側には、ダンパが接続されており、ダンパによる制動作用によって可動ラックの昇降動作を緩やかに行うようにしたことを特徴とする回動昇降式ラック装置。
【請求項７】
請求項６に記載の回動昇降式ラック装置において、少なくとも一方の回動アームの可動ラックとの接続部側には、ロック機構におけるロック爪と係合する係合ピンが設けられており、尚且つ、可動ラックには、回動アームの回動動作に伴う係合ピンの可動ラックに対する相対位置の変化を受け入れる湾曲した長穴状のガイド穴が形成されていることを特徴とする回動昇降式ラック装置。
【発明の詳細な説明】
【技術分野】
【０００１】
本発明は、例えばキッチンの吊戸棚等に適用される台所用の昇降式ラック装置に係り、特に可動ラックを手前に引き出しながら下降させ、奥部上方に向って退去させるようにした回動昇降式ラック装置に関するものである。
【背景技術】
【０００２】
キッチンの吊戸棚には吊戸棚に収納した収納物を取り出し易くするために、昇降機能を備えるものがある。また昇降機能を備える吊戸棚には高所に設置した格納ボックスに対して支持アームを介して可動ラックを昇降させる回動昇降式のラック装置を備えるものが存在する。
この種の吊戸棚には食器や鍋等、比較的重量の重い収納物が収納されることが多く、可動ラックの昇降動を容易にするためにガスダンパやバネ等の付勢部材が設けられている。
【０００３】
また可動ラックを手前下方に引き出した状態で可動ラックが停止しなければ、可動ラック内の収納物の取り出しが困難になるため、特許文献１に示すように引き出した状態の可動ラックを固定するためのロック機構を備えたものも存在する。
このものは可動ラックを手前に引き出すための引出し用取手と、ロック機構のロック状態を解除する操作棒体を並設状態で設け、両者をいっしょに握り、接近させることによって操作するようにしている。
操作棒体の両端部はロック機構本体側に向けて折り曲げられ、延長形成されており、その折り曲げた部分には圧縮コイルバネが縮設されている。
【０００４】
【特許文献１】特許第２８８１５５９号公報
【発明の開示】
【発明が解決しようとする課題】
【０００５】
しかしながら、上記構成のロック機構にあっては、可動ラックを移動させるその都度、引出し用取手と操作棒体の両者を握り、圧縮コイルバネの付勢力に抗して両者を接近させるようにしなければならず、操作が煩雑である。また繰り返し可動ラックを昇降動させる使用環境にあっては、圧縮コイルバネの付勢力に抗して操作棒体を引出し用取手に接近させる操作もばかにならず、握力の低下による労力負担の増大も予想される。
【０００６】
本発明は、このような背景技術を踏まえてなされたものであって、従来の回動昇降式ラック装置において採用されていたロック機構の構成を一新し、操作労力の軽減と操作性の向上とを図った新規な回動昇降式ラック装置を提供することを課題とするものである。
【課題を解決するための手段】
【０００７】
上記課題を解決するために請求項１に記載の発明は、壁面等に固定される固定フレームと、固定フレームに対して平行リンク機構を介して昇降自在に取り付けられる可動ラックと、可動ラックに対して取り付けられる操作バーとを備える回動昇降式ラック装置において、可動ラックには操作バーを所定の角度回動させることによって可動ラックのロック状態を解除するロック機構が設けられていることを特徴とする回動昇降式ラック装置である。
【０００８】
請求項２に記載の発明は、請求項１に記載の回動昇降式ラック装置において、ロック機構は、可動ラックに対して回動自在に接続され、平行リンク機構に対して設けられている係合ピンと係合することによって平行リンク機構の回動動作を停止させるロック爪と、ロック爪を所定の方向に付勢する付勢手段と、可動ラックに対して回動自在に接続され、操作バーの回転運動をロック爪に伝達する連絡ロッドとを備えていることを特徴とする回動昇降式ラック装置である。
【０００９】
請求項３に記載の発明は、請求項２に記載の回動昇降式ラック装置において、ロック爪は、可動ラックを手前下方に引き出すことによって自動的にロック状態となり、この状態で操作バーを所定の方向に回動させることによってロック爪のロック状態が解除されるように構成されていることを特徴とする回動昇降式ラック装置である。
【００１０】
請求項４に記載の発明は、請求項２または３に記載の回動昇降式ラック装置において、連絡ロッドにおけるロック爪との接続端には長穴が設けられており、この長穴と嵌合する連絡ピンによって連絡ロッドとロック爪は各々の回動支点を中心として回動し得るように接続されていることを特徴とする回動昇降式ラック装置である。
【００１１】
請求項５に記載の発明は、請求項２〜４のいずれかに記載の回動昇降式ラック装置において、連絡ロッドにおける操作バー側の作用端は、操作バーの端部に取り付けられる操作杆と当接することによって連絡ロッドをロック爪の通常可動範囲内で回動させると共に、直接連絡ロッドの作用端を持って連絡ロッドをロック爪の通常可動範囲を超える領域まで大きく回動させることによってロック機構を非作動状態にすることができるように構成されていることを特徴とする回動昇降式ラック装置である。
【００１２】
請求項６に記載の発明は、請求項１〜５のいずれかに記載の回動昇降式ラック装置において、平行リンク機構は、固定フレーム及び可動ラックに対してそれぞれ回動支点を有すると共に、回動支点間の距離を等しくとった２本の回動アームを設けることによって構成されており、また少なくとも一方の回動アームの固定フレームとの接続部側には、ダンパが接続されており、ダンパによる制動作用によって可動ラックの昇降動作を緩やかに行うようにしたことを特徴とする回動昇降式ラック装置である。
【００１３】
請求項７に記載の発明は、請求項６に記載の回動昇降式ラック装置において、少なくとも一方の回動アームの可動ラックとの接続部側には、ロック機構におけるロック爪と係合する係合ピンが設けられており、尚且つ、可動ラックには、回動アームの回動動作に伴う係合ピンの可動ラックに対する相対位置の変化を受け入れる湾曲した長穴状のガイド穴が形成されていることを特徴とする回動昇降式ラック装置である。
【発明の効果】
【００１４】
本発明の回動昇降式ラック装置は、操作バーを所定の角度回動させることによって解除するように作動するロック機構を設けたから、従来のように圧縮コイルバネの付勢力に抗して繰り返し操作棒体を操作バーに接近させるという操作は不要となり、操作労力の軽減と操作性の向上が図れる。
また連絡ロッドの梃子の作用により、それほど大きな力を操作バーにかけなくても、ロック爪のロック状態を容易に解除できるようになる。
また連絡ロッドを予めロック爪の通常可動範囲を超えるまで大きく回動させておくことによって、ロック機構を常時非作動状態とすることもでき、種々の使用環境に対応できる。
【実施例１】
【００１５】
以下、本発明の実施例に係る回動昇降式ラック装置１を説明する。
回動昇降式ラック装置１は、壁面H等に固定される固定フレーム３と、固定フレーム３に対して平行リンク機構５を介して昇降自在に取り付けられる可動ラック７と、可動ラック７に対して取り付けられる操作バー９とを備えている。
また可動ラック７には操作バー９を所定の角度回動させることによって可動ラックのロック状態を解除するロック機構１１が設けられている。
固定フレーム３は前面が開放されたボックス状の部材であり、例えば流し台背面の比較的高所の壁面Hに対してビス止め等によって固定状態で設置される。固定フレーム３の前面には必要に応じて図示しない扉が開閉自在に設けられる。
【００１６】
平行リンク機構５は、固定フレーム３と可動ラック７とを接続し、可動ラック７の水平姿勢を維持した状態で可動ラック７を手前側下方に引き出し、再び奥部側上方の固定フレーム３内に収容し得る機構である。
平行リンク機構５は、両端に回動支点Ｏ１、Ｏ２及びＯ３、Ｏ４を有し、回動支点Ｏ１、Ｏ２及びＯ３、Ｏ４間の距離を等しくとった２本の回動アーム１３、１５とこれらの回動アーム１３、１５と接続される固定フレーム３の側板及び可動ラック７の側板とによって構成されている。また平行リンク機構５は、可動ラック７の左右に一組ずつ設けられている。
上方の回動アーム１３における固定フレーム３側の回動支点Ｏ１の近傍にはダンパとしてのガスダンパ１７の摺動子側の端部が接続されており、固定フレーム３の側板にはガスダンパ１７の本体側の端部が回動自在に接続されている。
【００１７】
下方の回動アーム１５における可動ラック７側の回動支点Ｏ４の近傍には、係合ピン１９が設けられている。係合ピン１９は比較的小径の円柱状の部材で、後述するロック機構１１におけるロック爪２１と係合することによってロック爪２１をロック状態とする。
また可動ラック７には回動アーム１３、１５の回動動作に伴う係合ピン１９の可動ラック７に対する相対位置の変化を受け入れる湾曲した長穴状のガイド穴２３が形成された後述するサブフレーム４１が取り付けられている。係合ピン１９はこのガイド穴２３と嵌合し、ガイド穴２３に沿って移動するように構成されている。
【００１８】
可動ラック７は、前面及び上面が開放された角箱状の部材であり、中間より幾分上方の位置には棚板２５が設けられている。また可動ラック７の前面には、可動ラック７内に収納される収納物Ａの滑落を防止する一例として金属製線材によって形成されるガード２７が取り付けられている。
また可動ラック７の下端には、可動ラック７の左右の側板によって回転自在に支持された操作バー９が設けられている。
操作バー９は円管状の部材であり、長手方向の途中には適宜の間隔を空けてグリップ部２９が２個設けられている。グリップ部２９の直径は握り易い寸法となっており、合成ゴム等滑りにくく、適度な弾性力を有する材料によって形成されている。
【００１９】
操作バー９の一方の端部には、操作バー９の長手方向と直交する方向に延びる操作杆３１が設けられている。操作杆３１は丸棒状の部材でその先端は外方に向けて直角に折り曲げられており、後述するロック機構１１における連絡ロッド３３との当接部３５となっている。
また可動ラック７の側板には操作杆３１を覆うように角度規制カバー３７が取り付けられている。角度規制カバー３７は操作杆３１ないし操作杆３１と一体の操作バー９の回動角度を規制するものであるが、操作杆３１の当接部３５に当接することによって回動する連絡ロッド３３の回動角度も間接的に規制する。
これによりロック爪２１は可動ラック７の昇降動作によってロック状態とロック解除状態とを切り替えることができる通常可動範囲内で回動できるようになっている。
【００２０】
ロック機構１１は平行リンク機構５の回動動作を停止させるロック爪２１と、ロック爪２１を所定の方向に付勢する付勢手段としてのトーションバネ３９と、操作バー９の回転運動をロック爪２１に伝達する連絡ロッド３３とを備えている。
ロック爪２１は図示のようにフック状の部材であり、可動ラック７の側板に対して取り付けられる矩形状のサブフレーム４１に対して回動自在に設けられる。
【００２１】
即ち、サブフレーム４１には可動ラック７の幅方向に延びる回動ピン４３が立ち上げられていて、この回動ピン４３を回動支点としてロック爪２１は所定の角度の範囲内で回動し得るようになっている。ロック爪２１の最大回動角度はサブフレーム４１から立ち上げられている翼板状のストッパ４５によって設定されている。
またロック爪２１には係合ピン１９と係合する係合凹部４７が形成されており、係合凹部４７内に係合ピン１９が進入し係合した状態がロック状態、係合凹部４７外に係合ピン１９が位置している状態がロック解除状態となっている。
【００２２】
トーションバネ３９は一端がロック爪２１の中間付近に係止され、他端がそれより下方位置のサブフレーム４１に対して係止されている。またトーションバネ３９は、後述する非作動状態となる範囲を除く通常可動範囲において、ロック爪２１を図３〜６において反時計周りの方向へ付勢する弾性力を発揮する。
サブフレーム４１には前述したように係合ピン１９を案内するガイド穴２３も形成されている。尚サブフレーム４１は可動ラック７と一体の部材であるから、本明細書において特に両者を区別しない場合には可動ラック７の概念に含めて使用するものとする。
【００２３】
連絡ロッド３３は、「く」の字状に屈曲した長杆状の部材で、その屈曲点に設けられる段付きネジ４９を回動支点として所定の角度回動する。連絡ロッド３３の操作バー９側に延びる作用端５１は、操作杆３１における当接部３５と当接することによって連絡ロッド３３をロック爪２１の通常可動範囲内で回動させると共に、直接作用端５１を持って連絡ロッド３３をロック爪２１の通常可動範囲を超える領域まで大きく回動させることによってロック機構１１を非作動状態にすることができる。この非作動状態において、トーションバネ３９はロック爪２１を図３〜６において時計周りの方向へ付勢する弾性力を発揮する。
【００２４】
連絡ロッド３３のロック爪２１側に伸びる接続端５３には長穴５５が設けられており、この長穴５５と嵌合する連結ピン５７によって、ロック爪２１の自由端と連絡ロッド３３の接続端５３は接続されている。
長穴５５を設けるようにしたのは、回動支点と作用長を異にするロック爪２１と連絡ロッド３３がそれぞれ互いに干渉されることなく回動できるようにするためである。
また連絡ロッド３３は梃子として作用し、作用端５１を作用点、接続端５３を力点、段付きネジ４９が設けられている部位を支点と見ることができ、これによりロック爪２１の回動操作を容易にしている。
【００２５】
次にこのようにして構成される本発明の回動昇降式ラック装置１の作動態様について説明する。
（１）格納時（図２、３参照）
可動ラック７が固定フレーム３内に格納された状態では、図３に示すように回動アーム１３、１５は上方に跳ね上げられたほぼ直立の姿勢になっている。
またこの状態では、ガスダンパ１７の摺動子は伸張状態になっていて、ロック爪２１は通常可動範囲内において前方寄りに待機している。
トーションバネ３９によって、ロック爪２１は反時計周りの方向へ付勢されている。またこの状態では下方の回動アーム１５の可動ラック７側の回動支点Ｏ４の近傍に設けられている係合ピン１９は円弧状のガイド穴２３の下端に位置している。
【００２６】
（２）引出し時（図３、４参照）
固定フレーム３内から可動ラック７を引き出す場合には、操作バー９に設けられたグリップ部２９を両手で握って手前下方に向って力をかけて引き出す。可動ラック７が引き出されて行くと、上方の回動アーム１３は回動支点Ｏ１を回動中心として、下方の回動アーム１５は回動支点Ｏ３を回動中心として回動するようになって、最終的に図３中、仮想線あるいは図４に示すように回動アーム１３、１５はほぼ水平な姿勢に移行する。
【００２７】
また回動アーム１３、１５の回動に伴ってガスダンパ１７の摺動子は徐々に収縮して行き、ガスダンパ１７の制動作用が働いて、可動ラック７は緩やかに引き出される。
また下方の回動アーム１５の可動ラック７側の回動支点Ｏ４の近傍に設けられている係合ピン１９は、回動アーム１５の回動に伴って、円弧状のガイド穴２３に沿って移動し、図３中、仮想線あるいは図４に示すようにガイド穴２３の上端に位置するようになる。
【００２８】
また回動アーム１３、１５が図３中、仮想線あるいは図４に示すほぼ水平な姿勢に移行する直前に、係合ピン１９がロック爪２１を押圧し、ロック爪２１をトーションバネ３９の弾性力に抗して時計回りの方向へ僅かに回動させて、係合ピン１９がロック爪２１の係合凹部４７に係合して、ロック爪２１はロック状態となる。
ロック爪２１がロック状態になると下方の回動アーム１５の回動が規制されるから可動ラック７はそのまま手前下方に引き出された状態で停止している。そして可動ラック７内の必要な収納物Ａを取り出し、あるいは新たに収納する収納物Ａを可動ラック７内に収納する。
【００２９】
（３）ロック解除時（図５参照）
引き出した可動ラック７を固定フレーム３内に格納する場合には、先ずロック爪２１のロック状態を解除する。
即ちグリップ部２９を握って操作バー９を図５中、矢印で示すように時計方向に回動させ、操作バー９と一体の操作杆３１を同方向に回転させて当接部３５によって連絡ロッド３３の作用端５１を上方に押し上げる。
これにより連絡ロッド３３は段付きネジ４９を回動支点として図５中、矢印で示すように反時計方向に回動するようになり、連絡ロッド３３の接続端５３はトーションバネ３９の付勢力に抗してロック爪２１を係合ピン１９から離反させる。
【００３０】
尚、上記したロック状態を解除する際に、操作バー９を押し下げるようにして、可動ラック７を少し下降させると、ロック爪２１における係合凹部４７と係合ピン１９との間に隙間ができるように作用するため、それ以後のロック爪２１の離反方向への回動が円滑に行われる。
【００３１】
（４）収納時（図３参照）
ロック機構１１をロック解除状態にした後、グリップ部２９を握って操作バー９ないし可動ラック７に上向きの力を加えると、回動アーム１３、１５は図３中、反時計方向に回動するようになり可動ラック７を上昇させる。
この場合にも上方の回動アーム１３にはガスダンパ１７による制動力が作用しているから可動ラック７は緩やかに上昇して行く。またガスダンパ１７の摺動子は伸張方向に摺動するように力が働くため、操作バー９にそれほど大きな押上げ力を加えなくても、ガスダンパ１７の上記作用も加わって可動ラック７は水平状態を保ったまま自動的に固定フレーム３内に収納され格納状態となる。
【００３２】
（５）非作動時（図６参照）
ロック機構１１を非作動状態にしたい場合には図６中、矢印で示すように連絡ロッド３３の作用端５１を手で持って上方に大きく跳ね上げてロック爪２１を通常可能範囲を超える領域まで回動させる。
このような状態では回動アーム１３、１５が図４に示すほぼ水平な姿勢に移行したとしても、トーションバネ３９はロック爪２１を時計回りの方向へ付勢しており、係合ピン１９がロック爪２１の係合凹部４７に係合することはなく、そのままロック爪２１のロック解除状態を維持する。
従ってロック機構１１は常時非作動状態となり、可動ラック７を手前下方に引き出したとしても停止することはなく、この状態で手を離せばガスダンパ１７等の作用によって可動ラック７は上昇し、自動的に固定フレーム３内に格納された状態になる。
【００３３】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、上記実施例ではロック機構１１を可動ラック７の左側面と固定フレーム３の左側面との間の空間に設置した状態を示したが、可動ラック７の右側面側に設けたり、両側面側に一組ずつ、計二組のロック機構１１を設けることも可能である。
【００３４】
また連絡ロッド３３における段付きネジ４９と接続端５３間の長さと、段付きネジ４９と作用端５１間の長さを適宜調整することによって連絡ロッド３３の梃子の比やロック爪２１の通常可動範囲内での回動角度等を可変することも可能である。
また本発明の回動昇降式ラック装置１は単独で使用する他、キッチンの吊戸棚に組み込んで使用したり、キッチン以外の部屋において食器や鍋等の台所用品以外の他の種々の収納物Ａの出し入れを目的にして使用することも可能である。
【図面の簡単な説明】
【００３５】
【図１】本発明に係る回動昇降式ラック装置の使用状態を示す斜視図である。
【図２】回動昇降式ラック装置の格納状態を示す正面図である。
【図３】回動昇降式ラック装置の格納状態と引き出した状態を併せ示す側断面図である。
【図４】引き出した状態の可動ラック及びロック機構を示す側断面図である。
【図５】ロック解除状態の可動ラック及びロック機構を示す側断面図である
【図６】ロック機構を非作動状態にした時の可動ラック及びロック機構を示す側断面図である。
【符号の説明】
【００３６】
１    回動昇降式ラック装置          ３    固定フレーム
５    平行リンク機構                ７    可動ラック
８    サブフレーム                  ９    操作バー
１１    ロック機構                  １３    回動アーム（上方の）
１５    回動アーム（下方の）        １７    ガスダンパ
１９    係合ピン                    ２１    ロック爪
２３    ガイド穴                    ２５    棚板
２７    ガード                      ２９    グリップ部
３１    操作杆                      ３３    連絡ロッド
３５    当接部                      ３７    角度規制カバー
３９    トーションバネ（付勢手段）  ４１    サブフレーム
４３    回動ピン                    ４５    ストッパ
４７    係合凹部                    ４９    段付きネジ
５１    作用端                      ５３    接続端
５５    長穴                        ５７    連結ピン
Ｈ    壁面                        Ｏ１    回動支点
Ｏ２    回動支点                    Ｏ３    回動支点
Ｏ４    回動支点                      Ａ    収納物
【図１】
2005168680.tif 000003
【図２】
2005168680.tif 000004
【図３】
2005168680.tif 000005
【図４】
2005168680.tif 000006
【図５】
2005168680.tif 000007
【図６】
2005168680.tif 000008